(57)【要約】      （修正有）【課題】灯筒を必要せず、装卸が便利で、省エネルギーや環境保護の利点がある灯筒無しの組立て式嵌設灯を提供する。【解決手段】光源本体１０があり、光源本体１０の外周カバーに、絶縁カバー３０が設けられ、絶縁カバー３０の下端の外周縁から、外へ横方向に伸びるように外装カバーが設けられ、絶縁カバー３０の外周壁に、少なくとも対向する両側に、それぞれ、外へ向って装卸可能に、フレキシブル位置付け弾条片３４が設けられる灯筒無しの組立て式嵌設灯を提供する。外装カバーと位置付け弾条片３４を利用して、直接に天井に嵌設させることができる。【選択図】図１
0003148247.tif 000002
【実用新案登録請求の範囲】
【請求項１】
天井の嵌設孔に嵌設され、
光源本体と、
透過性を有し、光源本体の下方に位置する灯笠と、
約中空筒状で、光源本体の外周面に嵌設されて、上記灯笠を位置付ける絶縁カバーとが含有され、
上記絶縁カバーの下端において、外周縁から外へ向って、横方向に装卸可能の外装カバーが設けられ、また、上記絶縁カバーの外周壁において、少なくとも、対向する両側に、それぞれ、外へ向う位置付け弾条片が設けられ、上記位置付け弾条片に、外力によって変形し、また、自動的に回復できる機能があり、外装カバーとの間に、天井の厚さとほぼ一致する距離が形成される、ことを特徴とする灯筒無しの組立て式嵌設灯。
【請求項２】
上記光源本体に、更に、金属材質からなり、約円柱状で、縦方向に設置され、中心に、軸方向に、貫通孔が貫設される放熱体と、縦方向に、上記放熱体の貫通孔内に固着されて、ＬＥＤを駆動する駆動回路基板と、横方向に、放熱体の下方端面に設置され、回路基板に接続される基板があり、また、上に、複数のＬＥＤが設けられるＬＥＤ灯板と、が含有される、ことを特徴とする請求項１に記載の灯筒無しの組立て式嵌設灯。
【請求項３】
上記放熱体の貫通孔が、矩形で、軸方向に沿って四つの側壁が形成され、また、対向する二つの側壁に、上記駆動回路基板の両側縁が嵌設されるための、軸方向に沿って嵌合槽が形成されることを特徴とする請求項２に記載の灯筒無しの組立て式嵌設灯。
【請求項４】
上記絶縁カバーが、上絶縁カバーと下絶縁カバーからなあり、上絶縁カバーが、上から下へ放熱体の上段の外周面に覆われ、その下端の周縁の外側に、リング状の凸縁が形成され、上記下絶縁カバーが、下から上へ放熱体の下段の外周面に覆われ、その下端の周縁の内側に、上絶縁カバーの凸縁に対応する凹槽が設けられることを特徴とする請求項２に記載の灯筒無しの組立て式嵌設灯。
【請求項５】
上記放熱体の外周面に、径方向に複数のリング状凹槽が設けられ、上記絶縁カバーの内壁に、上記らのリング状凹槽に対応して、複数のリング状凸縁が形成され、それらにより、位置付け作用が得られることを特徴とする請求項２に記載の灯筒無しの組立て式嵌設灯。
【請求項６】
上記絶縁カバーの上部において、放熱体の上面に耐用する位置に、横方向に、上板が設置され、放熱体の上面が露出しなくなって、絶縁が形成され、上記上板に導線通し穴が形成され、上記上板の底面に、複数の突出が設けられることを特徴とする請求項２に記載の灯筒無しの組立て式嵌設灯。
【請求項７】
上記灯笠が、透過性を有し、上へ向って開口されてリング状壁を有する円形蓋体で、上記灯笠の底部に、光学曲面が形成され、その底縁の外周に、肩部が設けられ、上記絶縁カバーの底縁の内周壁において、灯笠の肩部に対応する位置に、内へ限位凸縁が突出し、これにより、上記灯笠の肩部が抵当して灯笠が位置付けられることを特徴とする請求項１に記載の灯筒無しの組立て式嵌設灯。
【請求項８】
更に、絶縁カバーの上部に嵌設され、内部に収納空間が形成される延伸蓋が含まれることを特徴とする請求項１に記載の灯筒無しの組立て式嵌設灯。
【請求項９】
上記延伸蓋の一端に、電球取り付け座の共通螺着頭が形成されて、延伸蓋が電球取り付け座に螺着されることを特徴とする請求項８に記載の灯筒無しの組立て式嵌設灯。
【請求項１０】
上記らの位置付け弾条片が、金属材質からなる弾条片であり、その一端が固定端で、接線方向に、絶縁カバーに固着され、他端が自由端で、上記らの位置付け弾条片の下縁が、固定端から自由端へ向って縮小することを特徴とする請求項１に記載の灯筒無しの組立て式嵌設灯。
【考案の詳細な説明】
【技術分野】
【０００１】
本考案は、灯筒無しの組立て式嵌設灯に関する。
【背景技術】
【０００２】
嵌設灯は、天井に設置される灯具であり、灯筒内に、発光源が設置され、例えば、タングステン電球や省エネルギー電球或いはＬＥＤ灯であり、その灯筒が、天井に埋め込まれるため、美観や光が強過ぎることがない利点が得られ、室内の照明に広く利用されるが、上記嵌設灯は、タングステン電球や省エネルギー電球或いはＬＥＤ灯を利用しても、ともに、天井に嵌設固定するための灯筒が必要とし、それにより、嵌設灯のコストが高くなる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、天井の嵌設孔に嵌設されることができ、光源本体があり、上記光源本体の外周カバーに、絶縁カバーが設けられ、上記絶縁カバーの下端の外周縁から、外へ横方向に伸びるように外装カバーが設けられ、上記絶縁カバーの外周壁に、少なくとも対向する両側に、それぞれ、外へ向って装卸可能に、フレキシブル位置付け弾条片が設けられる灯筒無しの組立て式嵌設灯を提供する。上記の構造によれば、本考案は、外装カバーと位置付け弾条片を利用して、直接に天井に嵌設されることができ、そのため、本考案によれば、灯筒を必要せず、装卸が便利で、省エネルギーや環境保護の利点が得られる。
【課題を解決するための手段】
【０００５】
請求項１の考案は、天井の嵌設孔に嵌設され、光源本体と、  透過性を有し、光源本体の下方に位置する灯笠と、約中空筒状で、光源本体の外周面に嵌設されて、上記灯笠を位置付ける絶縁カバーと、が含有され、上記絶縁カバーの下端において、外周縁から外へ向って、横方向に装卸可能の外装カバーが設けられ、また、上記絶縁カバーの外周壁において、少なくとも、対向する両側に、それぞれ、外へ向う位置付け弾条片が設けられ、上記位置付け弾条片に、外力によって変形し、また、自動的に回復できる機能があり、外装カバーとの間に、天井の厚さとほぼ一致する距離が形成される、ことを特徴とする灯筒無しの組立て式嵌設灯である。
【０００６】
請求項２の考案は、上記光源本体に、更に、金属材質からなり、約円柱状で、縦方向に設置され、中心に、軸方向に、貫通孔が貫設される放熱体と、縦方向に、上記放熱体の貫通孔内に固着されて、ＬＥＤを駆動する駆動回路基板と、横方向に、放熱体の下方端面に設置され、回路基板に接続される基板があり、また、上に、複数のＬＥＤが設けられるＬＥＤ灯板と、が含有されることを特徴とする請求項１に記載の灯筒無しの組立て式嵌設灯である。
【０００７】
請求項３の考案は、上記放熱体の貫通孔が、矩形で、軸方向に沿って四つの側壁が形成され、また、対向する二つの側壁に、上記駆動回路基板の両側縁が嵌設されるための、軸方向に沿って嵌合槽が形成されることを特徴とする請求項２に記載の灯筒無しの組立て式嵌設灯である。
【０００８】
請求項４の考案は、上記絶縁カバーが、上絶縁カバーと下絶縁カバーからなあり、上絶縁カバーが、上から下へ放熱体の上段の外周面に覆われ、その下端の周縁の外側に、リング状の凸縁が形成され、上記下絶縁カバーが、下から上へ放熱体の下段の外周面に覆われ、その下端の周縁の内側に、上絶縁カバーの凸縁に対応する凹槽が設けられることを特徴とする請求項２に記載の灯筒無しの組立て式嵌設灯である。
【０００９】
請求項５の考案は、上記放熱体の外周面に、径方向に複数のリング状凹槽が設けられ、上記絶縁カバーの内壁に、上記らのリング状凹槽に対応して、複数のリング状凸縁が形成され、それらにより、位置付け作用が得られることを特徴とする請求項２に記載の灯筒無しの組立て式嵌設灯である。
【００１０】
請求項６の考案は、上記絶縁カバーの上部において、放熱体の上面に耐用する位置に、横方向に、上板が設置され、放熱体の上面が露出しなくなって、絶縁が形成され、上記上板に導線通し穴が形成され、上記上板の底面に、複数の突出が設けられることを特徴とする請求項２に記載の灯筒無しの組立て式嵌設灯である。
【００１１】
請求項７の考案は、上記灯笠が、透過性を有し、上へ向って開口されてリング状壁を有する円形蓋体で、上記灯笠の底部に、光学曲面が形成され、その底縁の外周に、肩部が設けられ、上記絶縁カバーの底縁の内周壁において、灯笠の肩部に対応する位置に、内へ限位凸縁が突出し、これにより、上記灯笠の肩部が抵当して灯笠が位置付けられることを特徴とする請求項１に記載の灯筒無しの組立て式嵌設灯である。
【００１２】
請求項８の考案は、更に、絶縁カバーの上部に嵌設され、内部に収納空間が形成される延伸蓋が含まれることを特徴とする請求項１に記載の灯筒無しの組立て式嵌設灯である。
【００１３】
請求項９の考案は、上記延伸蓋の一端に、電球取り付け座の共通螺着頭が形成されて、延伸蓋が電球取り付け座に螺着されることを特徴とする請求項８に記載の灯筒無しの組立て式嵌設灯である。
【００１４】
請求項１０の考案は、上記らの位置付け弾条片が、金属材質からなる弾条片であり、その一端が固定端で、接線方向に、絶縁カバーに固着され、他端が自由端で、上記らの位置付け弾条片の下縁が、固定端から自由端へ向って縮小することを特徴とする請求項１に記載の灯筒無しの組立て式嵌設灯である。
【００１５】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１６】
図１乃至図３を参照しながら、本考案のより良い実施例は、
光源本体１０があり、上記光源本体１０に、更に、金属材質からなり、円柱状で、縦方向に設置され、中心に、軸方向に、矩形の貫通孔１１１が貫設され、軸方向に沿って、四つの側壁１１１１が形成され、対向する二つの側壁１１１１に、軸方向に沿って嵌合槽１１１２が設けられ、また、外周面において、軸方向に複数の放熱フィン１１２が設けられ、外周面において、径方向に沿って複数のリング状凹槽１１３が設けられ、また、貫通孔１１１の周りに、軸方向に沿って複数の対流孔１１４が貫設され、熱い空気を対流させて放熱効果を加速する放熱体１１があり、
駆動回路基板１２があり、縦方向に、上記放熱体１１の貫通孔１１１内に固着され、上端に電源線１２１があり、下端に、スロット１２２があり、
また、ＬＥＤ灯板１３があり、横方向に、放熱体１１の下方端面に設置され、基板１３１を有し、上記ＬＥＤ灯板１３は、その基板１３１の上面に、駆動回路基板１２のスロット１２２に接続されるためのプラグ１３２が設けられ、また、上記基板１３１の底面に、複数のＬＥＤ  １３３が設けられ、
また、ＬＥＤ灯板１３の下方に位置する灯笠２０があり、上へ開口されてリング状壁を有する円形蓋体で、透過性を有し、底縁の外周に、肩部２１が設けられ、また、上記灯笠２０の底面に、光学曲面２２が形成され、必要に応じて、適当な光学曲面２２を変更できる灯笠２０であり、
また、放熱体１１の外周に嵌設される絶縁カバー３０があり、これにより、金属材質である放熱体１１に触れることを防止でき、本実施例において、上記絶縁カバー３０が、上絶縁カバー３１と下絶縁カバー３２からなり、
上記上絶縁カバー３１が、筒状で、上から下へ放熱体１１の上段の外周面に覆われ、また、上記上絶縁カバー３１は、周壁が、格子状に形成され、複数の放熱孔３１１が貫設され、また、上記上絶縁カバー３１１の内壁において、上記放熱体１１のリング状凹槽１１３に対応する位置に、上記リング状凹槽１１３と互いに嵌合できる複数のリング状凸縁３１２が設けられて、位置付け作用が得られ、また、上記上絶縁カバー３１１の上部において、放熱体１１の上面に、横方向に設置される上板３１３があり、それにより、放熱体１１の上面が露出しなくて、絶縁を形成し、そして、上記上板３１３に、導線通し穴３１４が設けられ、また、上記上板３１３の底面に、複数の突出３１５が設けられ、これにより、上板３１３と放熱体１１との上面との間に、複数の隙間が形成されて、放熱に供される。
【００１７】
上記下絶縁カバー３２も、筒状で、下から上へ放熱体１１の下段の外周面に覆われ、また、上記下絶縁カバー３２において、周壁が、格子状に形成され、複数の放熱孔３２１が貫設され、また、上記下絶縁カバー３２の内壁において、上記放熱体１１のリング状凹槽１１３に対応する位置に、上記リング状凹槽１１３と互いに嵌合できる複数のリング状凸縁３２２が設けられて、位置付け作用が得られ、また、上記下絶縁カバー３２において、内周壁の底縁に、灯笠２０の肩部２１に対応する限位凸縁３２３が設けられ、上記灯笠２０に抵当して位置付けでき、また、上記絶縁カバー３０は、上記下絶縁カバー３２の下端の外周縁に、外へ向って横方向に、装卸可能の外装カバー３３が螺着され、また、上記絶縁カバー３０は、上記下絶縁カバー３２の外周壁と外装カバー３３の上方において、対向する両側に、それぞれ、外へ向う位置付け弾条片３４が設けられ、上記位置付け弾条片３４は、拆卸可能で、外力により変形し、また、自動的に回復できる機能があり、また、位置付け弾条片３４と外装カバー３３との間に、天井の厚さとほぼ等しい距離で離間され、上記らの位置付け弾条片３４は、金属材質である弾条片からなり、その一端が、固定端で、接線方向に沿って、下絶縁カバー３２上に固着され、他端が、自由端で、上記らの位置付け弾条片３４の下縁が、固定端から自由端へ向って縮小する。
【００１８】
延伸蓋４０は、下へ開口して、リング状壁を有する円形蓋体であり、上絶縁カバー３１の上部に嵌設され、上記延伸蓋４０内に、収納空間４１があり、他の素子が収納され、例えば、充電電池（図示せず）、この時、本考案は、非常照明灯として使用でき、また、上記延伸蓋４０の一側に、ソケット４２が設けられ、駆動回路基板１２の電源線１２１を上記ソケット４２に接続することが出来る。
【００１９】
図１と図３を参照しながら、本考案を組み立てる時、また、発光本体１０を組立てて、駆動回路基板１２を放熱体１１の貫通孔１１１内に設置し、この時、駆動回路基板１２の両側が、放熱体１１の嵌合槽１１１２に嵌入されて固定され、続いて、ＬＥＤ灯板１３のプラグ１３２を駆動回路基板１２のスロット１２２に固着して、ＬＥＤ灯板１３を放熱体１１の底面に実装し、また、上記らのＬＥＤ１３３の底部が、放熱体１１に接触して、灯笠２０を、下絶縁カバー３２内に設置し、そして、下絶縁カバー３２を下から上へ向って放熱体１１の下段に嵌設し、そして、灯笠２０が、上記ＬＥＤ灯板１３上に覆うように設置され、そして、上絶縁カバー３１を上から下へ向って放熱体１１の上段に嵌設し、上絶縁カバー３１と下絶縁カバー３２とが、互いに嵌合し、更に、外装カバー３３を下絶縁カバー３２に螺着し、最後に、駆動回路基板１２の電源線１２１を、延伸蓋４０のソケット４２に接続して、延伸蓋４０を上絶縁カバー３１の上部に嵌設することにより、本考案が組立てられる。
【００２０】
図４を参照しながら、本考案を天井２００の嵌設孔２０１内に実装する時、まず、本考案の位置付け弾条片３４を内へ向って湾曲して、本考案を下から上へ向って直接に、天井２００の嵌設孔２０１内に実装すればよく、この時、位置付け弾条片３４が、外へ回復するから、外装カバー３３に合わせて、天井２００に固着し、また、上記外装カバー３３は、所定の面積を有するため、天井２００の異なるサイズである嵌設孔２０１を遮蔽でき、上記のように、実装終了される。
【００２１】
逆に、本考案を天井２００の嵌設孔２０１内から取り外す時、本考案を、位置付け弾条片３４の自由端と反対する方向に、上から下へ回転すると、上記位置付け弾条片３４は、その下縁が縮小するため、本考案が、完全に天井２００の嵌設孔２０１から脱離するまで、嵌設孔２０１の案内により内へ少しずつ湾曲して、取り外される。
【００２２】
図５は、本考案の他のより良い実施例であり、本実施例において、本考案の位置付け弾条片３５が、金属材質である弾条片で、約菱形形状であり、その中央が、縦方向に、下絶縁カバー３２に固着され、その左右の両側が、自由端を形成する。
【００２３】
図６は、本考案の更に他のより良い実施例であり、上記絶縁カバー３０は、上記下絶縁カバー３２の下端の外周縁に、もう一つの外装カバー３６が螺着され、また、上記外装カバー３６が、花瓣造型で、これにより、本考案は、多様化になる。
【００２４】
また、図６と図７を参照しながら、本考案の延伸蓋４０の上端の一端が、電球取り付け座共通の螺着頭４３であってもよく、これにより、本考案が、一般の電球取り付け座３００に螺着されることができ、また、外装カバー３６を取り外すと、本考案を、独自で、一般の電球として使用できる。
【００２５】
また、図８を参照しながら、本実施例において、本考案の光源本体５０は、省エネルギー電球であり、上記光源本体５０は、基座５１を有し、基座５１の外縁に、雄ネジ５１１が形成され、光源本体５０の外周面が、絶縁カバー６０の上端に形成された雌ネジ６１に螺着され、また、上記絶縁カバー６０の下端の外周縁にも、外装カバー６２が螺着される。
【００２６】
上記のように、本考案は、より進歩的かつより実用的で、法に従って実用新案登録請求を出願する。
【００２７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２８】
【図１】本考案のより良い実施例の立体分解図
【図２】本考案のより良い実施例の立体組立て図
【図３】本考案のより良い実施例の組立て断面図
【図４】本考案のより良い実施例である天井に実装される時の概念図
【図５】本考案の他のより良い実施例の立体組立て図
【図６】本考案のより良い実施例の立体組立て図
【図７】本考案を電球取り付け座に適用する時の概念図
【図８】本考案を省エネルギー電球に適用する時の概念図
【符号の説明】
【００２９】
１０      光源本体
１１      放熱体
１１１    貫通孔
１１１１  側壁
１１１２  嵌合槽
１１２    放熱フィン
１１３    凹槽
１１４    対流孔
１２      駆動回路基板
１２１    電源線
１２２    スロット
１３      ＬＥＤ灯板
１３１    基板
１３２    プラグ
１３３    ＬＥＤ
２０      灯笠
２００    天井
２０１    嵌設孔
２１      肩部
２２      光学曲面
３０      絶縁カバー
３００    電球取り付け座
３１      上絶縁カバー
３１１    放熱孔
３１２    リング状凸縁
３１３    上板
３１４    導線通し穴
３１５    突出
３２      下絶縁カバー
３２１    放熱孔
３２２    リング状凸縁
３２３    限位凸縁
３３      外装カバー
３４      位置付け弾条片
３５      位置付け弾条片
３６      外装カバー
４０      延伸蓋
４１      収納空間
４２      ソケット
４３      螺着頭
５０      光源本体
５１      基座
５１１    雄ネジ
６０      絶縁カバー
６１      雌ネジ
６２      外装カバー
【図１】
0003148247.tif 000003
【図２】
0003148247.tif 000004
【図３】
0003148247.tif 000005
【図４】
0003148247.tif 000006
【図５】
0003148247.tif 000007
【図６】
0003148247.tif 000008
【図７】
0003148247.tif 000009
【図８】
0003148247.tif 000010